(57)【要約】      （修正有）【課題】着用中に脚絆帯がズレ動いて回動するのを防止する。【解決手段】表面に反射標識帯３を有し、脛Ａの略下半部に巻回して装着する脚絆帯１と、この帯１の両側端を係脱自在に係着する面状ファスナ２１ａ，２１ｂよりなる第１の係着手段２と、脚絆帯の横巾方向における下端部に一端を固着して設けた留めバンド５とを備える。バンド５の一方の面に面状ファスナよりなる第２の係着手段を設け、バンドを二つ折りして面合わせすることにより、係脱自在に係着するように構成する。バンドを靴紐６２に掛けて折り返して係着し、脚絆帯がズレ動いて回動するのを制止する。【選択図】図３
0003136998.tif 000002
【実用新案登録請求の範囲】
【請求項１】
所望の縦巾及び横巾を有し、脛の略下半部に巻回して装着する脚絆帯と、この脚絆帯の両側端部を係脱自在に係着する第１の係着手段と、前記脚絆帯の表面に固着して設けた反射標識帯と、前記脚絆帯の横巾方向の略中央部における下端部に一端を固着して設けた所望の巾及び長さの留めバンドとを備え、
前記留めバンドは、前記バンドの一方の面に固着して設けられ、任意の部位から前記バンドを二つ折りして面合わせすることにより、互に係脱自在に係着する第２の係着手段を備えている
ことを特徴とする、反射脚絆。
【請求項２】
前記第１の係着手段は、前記脚絆帯の一方の面における一端部に固着して設けた面状ファスナと、前記脚絆帯の他方の面における他端部に固着して設けられ、前記面状ファスナと係脱自在に係着する面状ファスナとで構成され、
前記第２の係着手段は、前記バンドの一方の面に固着して設けられ、任意の部位から前記バンドを二つ折りして面合わせすることにより、互に係脱自在に係着する面状ファスナで構成されていることを特徴とする、請求項１に記載の反射脚絆。
【請求項３】
前記脚絆帯の両面状ファスナのうち、いずれか一方の面状ファスナは他方の面状ファスナに比べて横巾の寸法を長く形成してあることを特徴とする、請求項２に記載の反射脚絆。
【考案の詳細な説明】
【技術分野】
【０００１】
本考案は、主に警察官等が交通事故の処理や検問等の際などに着用する反射脚絆に関するものである。
【背景技術】
【０００２】
交通事故の処理や検問等を行なう際、警察官等は一般に反射チョッキを着用している。そこで、例えば、車のヘッドライトをハイビーム（光を水平方向に照射）で走行している際にはライトが警察官等の反射チョッキに照射されて反射するので、車の運転者は警察官等の存在を容易に確認することができる。
【０００３】
しかし、ヘッドライトをハイビームで走行すると反対車線を走行中の車の運転者に光が照射される等、危険性の問題が生じるので、通常はヘッドライトをロービーム（光を斜め下方へ向けて照射）で走行している。ロービームの光は反射チョッキに当り難いため、車の運転者は警察官等の存在に気付かない場合があり、その結果、警察官等が交通事故に遭遇する危険性を有していた。
【０００４】
そこで、上記問題を解消するため、所定の縦巾及び横巾を有し、脛の略下半部に巻回して装着する脚絆帯と、この脚絆帯の両側端部を係脱自在に係着する面状ファスナよりなる係着手段とを備え、前記脚絆帯の表面に反射標識帯を固着して設けた反射脚絆が提案された（例えば特許文献１参照）。
【０００５】
上記のように構成した従来の反射脚絆を着用すると、ロービームの光は脚絆帯の反射標識帯に照射されて反射するので、車の運転者は警察官等、着用者の存在を容易に確認することができる。
【０００６】
しかるに、上記従来の反射脚絆においても次のような改良を加えるべき余地が残されている。即ち、上記反射脚絆は脚絆帯の両端部に面状ファスナを設け、脚絆帯を脛に巻回して面状ファスナで係着して着用するように構成されているため、脚絆を着用して歩いたり、或いは走ったりしている内に脚絆帯がズレ動いて脛の周囲を回動する問題が生じる。特に走ると回り易い。
上記のように、反射脚絆を着用中に、脚絆帯がズレ動いて回動すると、走行し難い問題が生じる。また、体裁上においても好ましくない。
【特許文献１】実用新案登録第３０７２１２３号公報
【考案の開示】
【考案が解決しようとする課題】
【０００７】
本考案は上記のような実情に鑑みてなされたもので、着用中に脚絆帯がズレ動いて回動するのを防止し得る反射脚絆を提供することを目的とするものである。
【課題を解決するための手段】
【０００８】
上記目的を達成するため、本考案のうち１つの考案（第１の考案）の反射脚絆は、所望の縦巾及び横巾を有し、脛の略下半部に巻回して装着する脚絆帯と、この脚絆帯の両側端部を係脱自在に係着する第１の係着手段と、前記脚絆帯の表面に固着して設けた反射標識帯と、前記脚絆帯の横巾方向の略中央部における下端部に一端を固着して設けた所望の巾及び長さの留めバンドとを備え、前記留めバンドは、前記バンドの一方の面に固着して設けられ、任意の部位から前記バンドを二つ折りして面合わせすることにより、互に係脱自在に係着する第２の係着手段を備えていることを特徴とする。
【０００９】
上記のように構成した本考案の反射脚絆は、脚絆帯を脛に巻回して両側端部を係着手段で係着して着用する。そして、留めバンドを着用者の靴の靴紐に掛けてバンドを折り返して対向面を面合わせし、係着手段で係着する。これにより、脚絆帯は回動方向へズレ動くのを確実に制止される。
【００１０】
本考案のうち他の１つの考案（第２の考案）は、第１の考案の反射脚絆において、前記第１の係着手段は、前記脚絆帯の一方の面における一端部に固着して設けた面状ファスナと、前記脚絆帯の他方の面における他端部に固着して設けられ、前記面状ファスナと係脱自在に係着する面状ファスナとで構成され、
前記第２の係着手段は、前記バンドの一方の面に固着して設けられ、任意の部位から前記バンドを二つ折りして面合わせすることにより、互に係脱自在に係着する面状ファスナで構成されていることを特徴とする。
【００１１】
本考案のさらに他の１つの考案（第３の考案）は、第１又は第２の考案の反射脚絆において、前記脚絆帯の両面状ファスナのうち、いずれか一方の面状ファスナは他方の面状ファスナに比べて横巾の寸法を長く形成してあることを特徴とするものである。
【考案の効果】
【００１２】
本考案によれば次のような効果を奏する。（１）ヘッドライトをロービームで走行している場合であっても、光は反射脚絆の反射標識帯に照射されて反射するので、車の運転者は警察官等、着用者の存在を容易に確認することができる。したがって、反射脚絆の着用者が交通事故に遭遇するのを防止することができる。（２）反射脚絆を着用中に脚絆帯がズレ動いて回動するのを確実に防止することができる。
【考案を実施するための最良の形態】
【００１３】
以下、図面を参照して本考案の反射脚絆の最良の実施の形態の一例を説明する。図１は本考案の一実施の形態の反射脚絆を示す図であって、同図（ａ）は展開した状態の構成を概略的に示す正面図、同図（ｂ）は同じく背面図、同図（ｃ）は前記脚絆を二つ折りした状態の構成を概略的に示す側面図、図２は前記脚絆の一部を示す図であって、同図（ａ）は留めバンドの部分を拡大し、その構成を概略的に示す側面図、同図（ｂ）は前記バンドを二つ折りして面合わせして係着した状態の構成を概略的に示す説明図、図３は前記脚絆の使用状態を示す説明図である。
【００１４】
上記図１〜図３において、この実施の形態の反射脚絆は、脛Ａの略下半部に巻回して装着する脚絆帯１と、この帯１の両側端部を係脱自在に係着する第１の係着手段２と、前記帯１の一方の面（表面）に設けた反射標識帯３と、前記帯１の他方の面（裏面）に設けた防滑用帯状体４と、前記帯１の下端部に設けた留めバンド５とを備えている。
【００１５】
前記脚絆帯１は例えばメッシュ生地等で造られ、ズボンの上から脛Ａの略下半部に巻回して装着するように、適当な縦巾（高さ）及び横巾（長さ）の概略長方形状のシート材１１で構成されている。脚絆帯１の大きさは、例えば縦巾約２０〜２５ｃｍ×横巾約４０ｃｍ〜５０ｃｍに形成することができる（但し、この大きさに限定するものではない）。また、この実施の形態の脚絆帯１は、脚絆帯１の横巾方向の略中央部における下半部側に、脚絆帯を横巾方向に二つ折りした状態で下方に向けて略三角形状に突出する末広がり状の裾部１２が形成されている。このように形成すると、脚絆帯１を脛Ａの下半部に巻回して着用すると、裾部１２が着用者の靴６の甲６１の上方側をカバーし、フィットして体裁よく装着することができる。
【００１６】
前記第１の係着手段２は、脚絆帯１の一方の面における一端部に、前記帯１の上縁から下縁にかけて縫着等により固着して設けた面状ファスナ２１ａ（例えば雌面状ファスナ）と、前記帯１の他方の面における他端部に、前記帯１の上縁から下縁にかけて縫着等で固着して設けられ、前記面状ファスナ２１ａと係脱自在に係着する面状ファスナ２１ｂ（例えば雄面状ファスナ）とで構成されている。前記面状ファスナとしては、例えば商品名マジックテープ（登録商標）や商品名クイックロン（登録商標）等を採用することができる。
また、この実施の形態では、前記面状ファスナ２１ａ，２１ｂのうち、いずれか一方の面状ファスナ（図示では２１ａ）を他方の面状ファスナ（図示では２１ｂ）に比べて横巾（帯１の長さ方向の巾）の寸法を長く形成してある。これにより、足の太さ等に対応させて両ファスナ２１ａ，２１ｂの係着する位置を変えることにより、サイズを調整して着用することができるように構成してある。
【００１７】
前記反射標識帯３は再帰反射性シート材や反射クロス材等の反射材で構成され、脚絆帯１の一方の面（表面）に、横巾方向に向けて取付けてある。この実施の形態では、適当な巾及び長さに形成した反射標識帯３を脚絆帯１の上縁部近く及び下縁部近くの位置に、帯１の一端から面状ファスナ２１ａにかけて逢着等で固着して設けてある。
【００１８】
前記防滑用帯状体４はズボンの上から脛Ａに着用した脚絆帯１がズレ動くのを防止するために設けたもので、前記帯状体４としては、例えばメッシュ生地等に発泡ウレタンを吹き付けてなる防滑シート材等で構成され、脚絆帯の他方の面（裏面）に、横巾方向に向けて取付けてある。この実施の形態では、適当な巾及び長さに形成した防滑シート材を脚絆帯１の上縁と下縁及び中央部に位置させ、帯１の一端から面状ファスナ２１ｂにかけて逢着等で固着して設けてある。なお、前記防滑用帯状体４は所望に応じて設けるものである。
【００１９】
留めバンド５は所望の巾（例えば、約２〜約３ｃｍ）及び長さ（例えば、約９〜約１１ｃｍ）に形成されている。但し、上記範囲に限定するものではない。前記バンド５は、前記帯１の横巾方向の略中央部における下端部に一端を逢着等で固着して設けてある。
【００２０】
前記バンド５は、バンド５の一方の面（図示では表面）に固着して設けられ、任意の部位からバンド５を二つ折りして面合わせすることにより、互に係脱自在に係着する、第２の係着手段５１を備えている。実施の形態の第２の係着手段５１は、任意の部位からバンド５を二つ折りし、対向する面同士を面合わせ（当接）することにより、互に係脱自在に係着する面状ファスナ５１ａ（雌雄両用或いは雌雄兼用の面状ファスナと称されている）で構成されている。前記面状ファスナ５１ａとしては、例えば商品名マジックテープ（登録商標）や商品名クイックロン（登録商標）その他の市販の面状ファスナを採用できる。なお、この場合、前記バンド５は、市販の面状ファスナを所望の横巾及び長さに裁断し、この裁断した面状ファスナそれ自体で構成することもできる。この構成を採用する場合は、当初から面状ファスナ付の留めバンド５になる。図２（ｂ）及び図３において、６２は靴紐を示す。
【００２１】
実施の形態の反射脚絆は上記のように構成し、図３に示すように、脚絆帯をズボンの上から脛Ａの略下半部に巻回して第１の係脱手段２の両面状ファスナ２１ａ，２１ｂを係着して着用する。そして、留めバンド５を靴６の靴紐６２に掛けて折り返し、面状ファスナ５１ａを面合わせて押接し、係着する。これにより、脚絆帯１は回動方向へズレ動くのを確実に防止することができる。
【００２２】
なお、実施の形態では第２の係着手段の面状ファスナ５１として雌雄両用ないし兼用の面状ファスナを採用した場合を開示したが、前記面状ファスナ５１は雌雄対の面状ファスナで構成することも勿論可能である。この構成を採用する場合には、前記バンド５の一半部に雌面状ファスナを設けると共に他半部に雄面状ファスナを設ける。
【００２３】
また、実施の形態では、第１及び第２の係着手段２及び５１として、面状ファスナで構成した例を開示したが、前記係着手段として、例えばホック等の留め具等を採用することもできる。
【００２４】
なお、上記した実施の形態は一例として開示したもので、本考案は上記の実施の形態に限定されるものではなく、実用新案登録請求の範囲に記載の技術思想を越脱しない範囲内において任意に変更可能なものである。
【図面の簡単な説明】
【００２５】
【図１】本考案の一実施の形態の反射脚絆を示す図であって、同図（ａ）は展開した状態の構成を概略的に示す正面図、同図（ｂ）は同じく背面図、同図（ｃ）は前記脚絆を二つ折りした状態の構成を概略的に示す側面図である。
【図２】前記反射脚絆の一部を示す図であって、同図（ａ）は留めバンドの部分を拡大し、その構成を概略的に示す側面図、同図（ｂ）は前記バンドを二つ折りして両合わせして係着した状態の構成を概略的に示す説明図である。
【図３】前記脚絆を着用した状態を示す説明図である。
【符号の説明】
【００２６】
１          脚絆帯
２          第１の係着手段
３          反射標識帯
５          留めバンド
２１ａ，２１ｂ    面状ファスナ
５１        第２の係着手段
５１ａ      面状ファスナ
６２        靴紐
Ａ          脛
【図１】
0003136998.tif 000003
【図２】
0003136998.tif 000004
【図３】
0003136998.tif 000005